(57)【特許請求の範囲】
【請求項１】
リモートアンテナノードへ同時送信トラヒックおよび非同時送信ビーコンを供給する通信システムであって、
同時送信ＣＤＭＡ−トラヒック−保持チャネル用符号分割多重接続方式（ＣＤＭＡ）基地局信号を受信して、デジタルサンプルを出力するホスト無線周波数（ＲＦ）デジタイザと、
ビーコンパイロット発生器から出力された前記サンプルを受信して、異なる疑似ノイズオフセットを有するデジタル的に遅延したＣＤＭＡ−デジタル−ビーコン−パイロットサンプルを出力する通信的に結合した遅延バッファと、
異なる疑似ノイズオフセットを有する前記ＣＤＭＡ−デジタル−ビーコン−パイロットサンプルを前記ホストＲＦデジタイザから受信した前記デジタルサンプルに加えて、多重同時送信−プラス−特有−オフセット−ビーコン−パイロットＣＤＭＡサンプルを形成する加算回路、および
前記多重同時送信−プラス−特有−オフセット−ビーコン−パイロットＣＤＭＡサンプルを受信して、関連するリモートアンテナノードへ前記多重同時送信−プラス−特有−オフセット−ビーコン−パイロットＣＤＭＡサンプルを送る、通信的に結合したフレーマ／シリアライザ
を含む、通信システム。
【請求項２】
前記ビーコンパイロット発生器がＣＤＭＡ  ＲＦビーコンパイロット発生器であり、前記ホストＲＦデジタイザが第１ホストＲＦデジタイザであり、前記第１ホストＲＦデジタイザが基地局から、ＣＤＭＡ  ＲＦ基地局信号を受信してＣＤＭＡトラヒック保持信号用デジタルサンプルを出力し、前記通信システムが前記ＣＤＭＡ  ＲＦビーコンパイロット発生器からＣＤＭＡ  ＲＦビーコンパイロットサンプルを受信し、ＣＤＭＡ−デジタル−ビーコン−パイロットサンプルを出力する第２ホストＲＦデジタイザを更に含む、請求項１に記載の通信システム。
【請求項３】
前記リモートアンテナノードのそれぞれが関連した光ファイバを介して前記フレーマ／シリアライザに通信的に結合し、前記リモートアンテナノードの少なくとも１つが多重同時送信−プラス−特有−オフセット−ビーコン−パイロットＣＤＭＡサンプルストリームを受信する、請求項１に記載の通信システム。
【請求項４】
前記ビーコンパイロット発生器がベースバンドビーコンパイロット発生器であり、前記通信システムが前記ベースバンドビーコンパイロット発生器からデジタルベースバンドサンプル出力を受信して、前記遅延バッファへデジタル中間周波数（ＩＦ）サンプルを出力するためのデジタルアップコンバータを更に含む、請求項１に記載の通信システム。
【請求項５】
前記ビーコンパイロット発生器を更に含む、請求項１に記載の通信システム。
【請求項６】
前記ビーコンパイロット発生器が、デジタルアップコンバータと一体化されて前記遅延バッファへデジタル中間周波数（ＩＦ）サンプルを出力するベースバンドビーコンパイロット発生器である、請求項５に記載の通信システム。
【請求項７】
前記リモートアンテナノードの少なくとも１つが関連する多重同時送信−プラス−特有−オフセット−ビーコン−パイロットＣＤＭＡサンプルストリームを受信する、請求項１に記載の通信システム。
【請求項８】
前記リモートアンテナノード、および
前記リモートアンテナノードの関連する１つにそれぞれ通信的に結合した光ファイバ、
を更に含む、請求項１に記載の通信システム。
【請求項９】
前記ビーコンパイロット発生器が、デジタルビーコンパイロットを合成するために構成されたデジタル信号処理装置である、請求項１に記載の通信システム。
【請求項１０】
リモートアンテナノードに同時送信符号分割多重接続方式（ＣＤＭＡ）トラヒックおよび非同時送信ビーコンパイロットを供給する分散型アンテナシステムであって、
デジタル基地局からＣＤＭＡデジタル基地局信号を受信し、ＣＤＭＡ−トラヒック−保持チャネル用のデジタルサンプルを出力する第１デジタルアップコンバータと、
ベースバンドビーコンパイロット発生器からデジタルベースバンドサンプルを受信し、デジタル中間周波数（ＩＦ）サンプルを出力する第２デジタルアップコンバータ、
通信的に結合して前記第２デジタルアップコンバータから前記デジタルＩＦサンプルを受信し、異なるタイミングオフセットを有するＣＤＭＡ−デジタル−ビーコン−パイロットサンプルを出力するよう構成した遅延バッファ、および、
ＣＤＭＡ−トラヒック−保持チャネル用の前記デジタルサンプルに異なるタイミングオフセットを有する前記ＣＤＭＡ−デジタル−ビーコン−パイロットサンプルを加え合わせて多重同時送信−プラス−特有−オフセット−ビーコン−パイロットＣＤＭＡサンプルを形成する加算回路
を含む、分散型アンテナシステム。
【請求項１１】
各多重同時送信−プラス−特有−オフセット−ビーコン−パイロットＣＤＭＡサンプルを関連するリモートアンテナノードに送るために構成されたフレーマ／シリアライザを更に含む、請求項１０に記載の分散型アンテナシステム。
【請求項１２】
各リモートアンテナノードが関連する光ファイバを介して前記フレーマ／シリアライザに通信的に結合される、請求項１１に記載の分散型アンテナシステム。
【請求項１３】
前記ベースバンドビーコンパイロット発生器を更に含む、請求項１０に記載の分散型アンテナシステム。
【請求項１４】
前記リモートアンテナノードの少なくとも１つが関連する多重同時送信−プラス−特有−オフセット−ビーコン−パイロットＣＤＭＡサンプルストリームを受信するよう通信的に結合される、請求項１０に記載の分散型アンテナシステム。
【請求項１５】
前記リモートアンテナノード、および
前記リモートアンテナノードに通信的に結合した光ファイバ
を更に含む、請求項１０に記載の分散型アンテナシステム。
【請求項１６】
前記ベースバンドビーコンパイロット発生器がデジタルビーコンパイロットを合成するために構成されたデジタル信号処理装置である、請求項１０に記載の分散型アンテナシステム。
【請求項１７】
単一のビーコンパイロット発生器を使用して、異なるタイミング-オフセットを有する非同時送信ＣＤＭＡ−デジタル−ビーコン−パイロットサンプルと一緒に同時送信符号分割多重接続方式（ＣＤＭＡ）−トラヒック−保持チャネルを分散するための方法であって、
ホスト無線周波数デジタイザにて基地局からＣＤＭＡ無線周波数信号を受信すること、
前記ホストＲＦデジタイザにてＣＤＭＡ基地局信号をトラヒック−保持チャネル用デジタルサンプルに変換すること、
遅延バッファにてＣＤＭＡ−デジタル−ビーコン−パイロットサンプルを受信すること、
前記遅延バッファからの異なるタイミングオフセットを有するＣＤＭＡ−デジタル−ビーコン−パイロットサンプルを同時に傍受すること、
前記ＣＤＭＡ基地局デジタルサンプルに異なるタイミングオフセットを有する前記ＣＤＭＡ−デジタル−ビーコン−パイロットサンプルを加えて多重同時送信−プラス−特有−オフセット−ビーコン−パイロットＣＤＭＡサンプルを形成すること、および
フレーマ／シリアライザにて多重同時送信−プラス−特有−オフセット−ビーコン−パイロットＣＤＭＡサンプルストリームを受信すること
を含む、方法。
【請求項１８】
前記ホストＲＦデジタイザは第１ホストＲＦデジタイザであり、前記遅延バッファにて前記ＣＤＭＡデジタルビーコンパイロットを受信することが、
第２ホストＲＦデジタイザにてＣＤＭＡ無線周波数ビーコンパイロット発生器からＣＤＭＡ無線周波数ビーコンパイロットを受信すること、
前記第２ホストＲＦデジタイザにて前記ＣＤＭＡ無線周波数ビーコンパイロットをＣＤＭＡ−デジタル−ビーコン−パイロットサンプルに変換すること、および
前記遅延バッファへ前記ＣＤＭＡ−デジタル−ビーコン−パイロットサンプルを送信すること
を含む請求項１７に記載の方法。
【請求項１９】
前記フレーマ／シリアライザから関連するリモートアンテナノードへ各前記多重同時送信−プラス−特有−オフセット−ビーコン−パイロットＣＤＭＡサンプルストリームを送ることを更に含む、請求項１７に記載の方法。
【請求項２０】
リモートアンテナノードへ同時送信トラヒックおよび非同時送信ビーコンを供給するホストユニットであって、
同時送信ＣＤＭＡ−トラヒック−保持チャネル用符号分割多重接続方式（ＣＤＭＡ）基地局信号を受信して、デジタルサンプル出力するホスト無線周波数（ＲＦ）デジタイザと、
異なるタイミングオフセットを有するＣＤＭＡ−デジタル−ビーコン−パイロットサンプルを前記ホストＲＦデジタイザから受信した前記デジタルサンプルに加えて、多重同時送信−プラス−特有−オフセット−ビーコン−パイロットＣＤＭＡサンプルを形成する加算回路、および
関連するリモートアンテナノードに各多重同時送信−プラス−特有−オフセット−ビーコン−パイロットＣＤＭＡサンプルを出力するために構成されるフレーマ／シリアライザ
を含む、ホストユニット。
【請求項２１】
ビーコンパイロット発生器から出力された前記サンプルを受信して、異なる疑似ノイズオフセットを有するデジタル的に遅延したＣＤＭＡ−デジタル−ビーコン−パイロットサンプルを出力する通信的に結合した遅延バッファを更に含む、請求項２０に記載のホストユニット。
【請求項２２】
前記遅延バッファへデジタル中間周波数サンプルを出力するように構成した前記ビーコンパイロット発生器を更に含む、請求項２１に記載のホストユニット。
【請求項２３】
デジタルベースバンドサンプルをベースバンド出力するように構成された前記ビーコンパイロット発生器と、
前記デジタルベースバンドサンプルを受信して、前記遅延バッファへデジタル中間周波数サンプルを出力するデジタルアップコンバータと、
を更に含む、請求項２１に記載のホストユニット。
【請求項２４】
前記ビーコンパイロット発生器がベースバンドビーコンパイロット発生器であり、前記加算回路が、外部ビーコンパイロット発生器から異なる疑似ノイズオフセットを有する前記ＣＤＭＡ−デジタル−ビーコン−パイロットサンプルを受信し、
デジタルベースバンドサンプルを出力する前記ベースバンドビーコンパイロット発生器、
前記ベースバンドビーコンパイロット発生器から前記デジタルベースバンドサンプルを受信し、遅延バッファにデジタル中間周波数（ＩＦ）サンプルを出力するデジタルアップコンバータ、および
前記デジタルアップコンバータから前記デジタルＩＦサンプル出力を受信するために通信的に結合し、異なる疑似ノイズオフセットを有するアウトプットＣＤＭＡ−デジタル−ビーコン−パイロットサンプルを出力するために構成した前記遅延バッファ
を含む、請求項２１に記載のホストユニット。
【発明の詳細な説明】
【背景技術】
【０００１】
無線セルラサービスプロバイダが与えられた基地局または基地局の群によって提供される通信範囲を改良できる１つの方法は、分散型アンテナシステム（ＤＡＳ）を使用することである。ＤＡＳにおいて、無線周波数（ＲＦ）信号は、ホストユニットと１つ以上のリモートアンテナノードとの間で通信される。ホストユニットは、１つ以上の基地局に通信的に結合される。たとえば、ホストユニットは同軸ケ−ブルを使用している基地局に対して直接的に接続され、もしくは、ホストユニットは無線で（すなわち、「空を越えて」または「周波数で」）、ドナーアンテナおよび双方向増幅器（ＢＤＡ）を用いる基地局と交信する。ダウンリンクＲＦ信号は、ホストユニットにおいて基地局から受信される。ホストユニットは、ダウンリンクＲＦ信号を使用してダウンリンク移送信号を生成し、リモートアンテナノードのうちの１つ以上に分配する。この種の各リモートアンテナノードは、ダウンリンク移送信号を受信して、ダウンリンク移送信号からのダウンリンクＲＦ信号を再成し、リモートアンテナノードに結合または含まれる少なくとも１つのアンテナから再成されたダウンリンクＲＦ信号を発射させる。同様のプロセスが、アップリンク方向で実行される。１つ以上のリモートアンテナノードで受信されるアップリンクＲＦ信号は、各リモートアンテナノードからホストユニットへ送信される各アップリンク移送信号を生成するために用いられる。ホストユニットは、リモートアンテナノードから送られるアップリンク移送信号を受信して、組み合わせる。ホストユニットは、リモートアンテナノードで受信されるアップリンクＲＦ信号を再成し、再成されたアップリンクＲＦ信号を基地局に通信する。このように、基地局の通信範囲は、ＤＡＳを使用して拡張できる。１つ以上の中間デバイス（「拡大ハブ」または「拡大ユニット」とも称する）は、単一のホストユニットが供給できるリモートアンテナノードの個数を増すために、および／またはホストユニットとリモートアンテナノードとの距離を増すためにホストユニットとリモートアンテナノードとの間に配置できる。
【０００２】
ＤＡＳの１型式において、単一の基地局セクターから多数リモートノードへ同時送信される。ＤＡＳは１× Ｎ構成で配備され、すなわち、１つのホストインターフェースがＮ個のリモートアンテナノードへ供給する。配備されているエアーインターフェースがある形の符号分割多重接続方式（ＣＤＭＡ）であるときに、チャネルを支えている主要なトラヒックと関連するパイロットに加えて、「ビーコン」パイロットとして知られているＣＤＭＡパイロット信号を送信する必要がしばしばある。これらのビーコンパイロットは、１つの基地局セクターから他のセクターへの通信装置（例えば送受話器）のハンドオフを補助するために使用され、あるいは、移動性の位置決定を補助するために使用される。
【発明の概要】
【０００３】
本出願は、同時送信トラヒックおよび非同時送信ビーコンでリモートアンテナノードを供給するための通信システムに関する。通信システムは、ホスト無線周波数（ＲＦ）デジタイザ、遅延バッファ、加算回路およびフレーマ／シリアライザを含む。ホストＲＦデジタイザは同時送信ＣＤＭＡ−トラヒック保持チャネル用符号分割多重接続方式（ＣＤＭＡ）基地局信号を受信し、デジタルサンプルを出力する。遅延バッファが通信的に結合してビーコンパイロット発生器からサンプル出力を受信し、異なった疑似ノイズオフセットを有するデジタル的に遅延したＣＤＭＡ−デジタルビーコンパイロットサンプルを出力する。加算回路は、ホストＲＦデジタイザから受信したデジタルサンプルにＣＤＭＡ−デジタル−ビーコン−パイロットサンプルを加算し、多重同時送信−プラス−特有−オフセット−ビーコン−パイロットＣＤＭＡサンプルを形成する。フレーマ／シリアライザが通信的に結合して多重同時送信−プラス−特有−オフセット−ビーコン−パイロットＣＤＭＡサンプルを受信し、関連するリモートアンテナノードに多重同時送信−プラス−特有−オフセット−ビーコン−パイロットＣＤＭＡサンプルを送る。
【０００４】
本出願はまた、リモートアンテナノードに同時送信符号分割多重接続方式（ＣＤＭＡ）トラヒックおよび非同時送信ビーコンパイロットを供給する分散型アンテナシステムに関する。分散型アンテナシステムは、デジタル基地局からＣＤＭＡデジタル基地局信号を受信し、ＣＤＭＡ−トラヒック−保持チャネル用のデジタルサンプルを出力する第１デジタルアップコンバータ、および、ベースバンドビーコンパイロット発生器からデジタルベースバンドサンプルを受信し、デジタル中間周波数（ＩＦ）サンプルを出力する第２デジタルアップコンバータを含む。分散型アンテナシステムはまた、通信的に結合してデジタルアップコンバータからデジタルＩＦサンプルを受信し、異なるタイミングオフセットを有するＣＤＭＡ−デジタル−ビーコン−パイロットサンプルを出力するよう構成した遅延バッファ、および、ＣＤＭＡ−トラヒック−保持チャネル用のデジタルサンプルに異なるタイミングオフセットを有するＣＤＭＡ−デジタル−ビーコン−パイロットサンプルを加え合わせて多重同時送信−プラス−特有−オフセット−ビーコン−パイロットＣＤＭＡサンプルを形成する加算回路を含む。
【０００５】
本出願はまた、単一のビーコンパイロット発生器を使用して、異なるタイミングオフセットを有する非同時送信ＣＤＭＡ−デジタル−ビーコン−パイロットサンプルと一緒に同時送信符号分割多重接続方式（ＣＤＭＡ）−トラヒック−保持チャネルを分散するための方法に関する。この方法は、ホスト無線周波数デジタイザで基地局からＣＤＭＡ無線周波数信号を受信すること、ＣＤＭＡ基地局信号をホストＲＦデジタイザでトラヒック保持チャネル用デジタルサンプルへ変換すること、遅延バッファにてＣＤＭＡ−デジタル−ビーコン−パイロットサンプルを受信し、同時に遅延バッファから異なるタイミングオフセットを有するＣＤＭＡ−デジタル−ビーコン−パイロットサンプルを傍受すること、ＣＤＭＡ基地局デジタルサンプルに異なったタイミングオフセットを有するＣＤＭＡ−デジタル−ビーコン−パイロットサンプルを加えて複合同時送信−プラス特有オフセットビーコンパイロットＣＤＭＡサンプルを形成すること、および、フレーマ／シリアライザで多重同時送信−プラス−特有−オフセット−ビーコン−パイロットＣＤＭＡサンプルストリームを受信すること、を含む。
【０００６】
本出願はまた、同時送信トラヒックおよび非同時送信ビーコンでリモートアンテナノードへ供給するホストユニットに関する。ホストユニットは、同時送信ＣＤＭＡ−トラヒック−保持チャネル用符号分割多重接続方式（ＣＤＭＡ）基地局信号を受信して、デジタルサンプルを出力するホスト無線周波数（ＲＦ）デジタイザ、ホストＲＦデジタイザから受信したデジタルサンプルに異なるタイミングオフセットを有するＣＤＭＡ−デジタル−ビーコン−パイロットサンプルを加えて多重同時送信−プラス−特有−オフセット−ビーコン−パイロットＣＤＭＡサンプルを形成する加算回路、および関連したリモートアンテナノードに各多重同時送信−プラス−特有−オフセット−ビーコン−パイロットＣＤＭＡサンプルを出力するために構成されたフレーマ／シリアライザを含む。
【０００７】
特許請求された発明のさまざまな実施形態の詳細は、添付の図面および下記の説明に記載されている。
【図面の簡単な説明】
【０００８】
【図１】本発明による同時送信トラヒックおよび非同時送信ビーコンをリモートアンテナノードへ供給する通信システムの実施形態のブロックダイヤグラムである。
【図２】本発明による同時送信トラヒックおよび非同時送信ビーコンをリモートアンテナノードへ供給する分散型アンテナシステムの実施形態のブロックダイヤグラムである。
【図３】本発明による同時送信トラヒックおよび非同時送信ビーコンをリモートアンテナノードへ供給する分散型アンテナシステムの実施形態のブロックダイヤグラムである。
【図４】本発明による同時送信トラヒックおよび非同時送信ビーコンをリモートアンテナノードへ供給する分散型アンテナシステムの実施形態のブロックダイヤグラムである。
【図５】本発明による同時送信トラヒックおよび非同時送信ビーコンをリモートアンテナノードへ供給する分散型アンテナシステムの実施形態のブロックダイヤグラムである。
【図６】本発明による同時送信トラヒックおよび非同時送信ビーコンをリモートアンテナノードへ供給する分散型アンテナシステムの実施形態のブロックダイヤグラムである。
【図７】本発明による単一のビーコンパイロット発生器を使用して、異なるタイミング−オフセットを有する非同時送信ＣＤＭＡ−デジタル−ビーコン−パイロットサンプルと一緒に同時送信ＣＤＭＡ−トラヒック−保持チャネルを分散する方法を示すフローチャートである。
【発明を実施するための形態】
【０００９】
さまざまな図面における類似の参照番号および名称は、類似の構成要素を示す。
【００１０】
ＤＡＳにおいて、トラヒックチャネルが同時送信であっても、上述の送信ビーコンパイロットが各リモートアンテナノード用もしくは隣接リモートアンテナノード用で異なっていることが望ましい。たとえば、建物の入り口又はその近くで、強く独特なビーコンパイロットは確実に、建物に入る送受話器を建物の入り口でリモートアンテナノードに引き渡す。このことは、送受話器がさらに建物内に移動するに従って、建物内部でリモートアンテナノードに円滑なハンドオフを確実にする。
【００１１】
本願明細書において記載されているシステムは、ＤＡＳのような通信システムの実施形態であり、単一のＣＤＭＡ基地局および単一のビーコンパイロット発生器は、多重アンテナへ同時送信トラヒックおよび非同時送信ビーコンを同時送信１×Ｎ構成（すなわち１つ（１）のホストインターフェースおよびＮ個のリモートアンテナノード）の中で供給する。
【００１２】
本願明細書において記載されているシステムにおいて、非同時送信ビーコンは特有なオフセットビーコンパイロットである。各特有のオフセットビーコンパイロットは、複数のリモートアンテナノードの関連した１つによって認識される。多重で特有なオフセットビーコンパイロットおよび同時送信ＣＤＭＡ−トラヒック−保持チャネル用デジタル化サンプルは、本願明細書において「多重同時送信−プラス−特有−オフセット−ビーコン−パイロットＣＤＭＡサンプル」と称する。リモートノードへ出力される多重同時送信−プラス−特有−オフセット−ビーコン−パイロットＣＤＭＡサンプルのストリームは、本願明細書において「多重同時送信−プラス−特有−オフセット−ビーコン−パイロットＣＤＭＡサンプルストリーム」と称する。
【００１３】
図１は、本発明による同時送信トラヒックおよび非同時送信ビーコンをリモートアンテナノード４９（１〜Ｎ）へ供給する通信システム１１の実施形態のブロックダイヤグラムである。図２〜６は、本発明によってリモートアンテナノード４９（１〜Ｎ）へ供給する分散型アンテナシステム１２〜１６の実施形態のブロックダイヤグラムである。本願明細書において記載されているシステム１１〜１６は、複数のリモートアンテナノード４９（１〜Ｎ）へ送られる同時送信ＣＤＭＡ−トラヒック−保持チャネルに特有のオフセットビーコンパイロットを加える。システム１１〜１６はそれぞれ異なるビーコンパイロットが同時送信１×Ｎ構成で配備されるので、各リモートアンテナノードはＮ×Ｎ構成で必要とされる加算装置を要求せずに同時送信サンプル付きの独特なビーコンパイロットを受信する。システム１１−１６は、１つまたは２つのホストインターフェース（例えばＲＦデジタイザ）カードだけを必要とする構成の単一のビーコンパイロット発生器を使用する。
【００１４】
本願明細書において記載されているＤＡＳ１２〜１６は、１）ビーコン発生器はホストユニットの外部で、ホストユニット（図２）のＲＦデジタイザに、無線周波数信号を供給し、２）ビーコン発生器および遅延バッファは、共にホストユニット（図３および４）の内部であり、３）遅延バッファおよびデジタルアップコンバータは、ホストユニットの外部であって、ホストユニット（図５）の加算回路へ異なるタイミングオフセット付きのＣＤＭＡ−デジタル−ビーコン−パイロットサンプルを供給するビーコン発生器に含まれ、そして、４）ビーコン発生器はホストユニットの外部であって、ＲＦデジタイザスロット（図６）に接続するホストユニットのデジタルアップコンバータカードに入出力を行うデジタルベースバンドサンプルを生成する構成となっている。その上、本願明細書において記載されているシステムは、ＣＤＭＡ基地局とホストユニットとの間のインターフェースのために、１）ホストユニット（図１〜５）のホストＲＦデジタイザに対するＲＦインターフェース、および、２）ホストユニット（図６）のＲＦデジタイザスロットにおけるデジタルアップコンバータ（ＤＵＣ）カードに対するデジタルインターフェース、の２つのオプションを含む。
【００１５】
図１は、送信サンプル中の本発明による同時送信トラヒックおよび非同時送信ビーコンをリモートアンテナノード１４９（１〜Ｎ）へ供給する通信システム１１の実施形態である。通信システム１１（本願明細書においてＤＡＳ １１とも称される）は、基地局１０に通信的に結合されている。ＤＡＳ１１は、ホスト無線周波数（ＲＦ）デジタイザ２０、ビーコンパイロット発生器２５、遅延バッファ３０、加算回路４０、フレーマ／シリアライザ５０およびリモートアンテナノード１４９（１〜Ｎ）を含む。フレーマ／シリアライザ５０は、各光ファイバ６０（１〜Ｎ）を介してリモートアンテナノード１４９（１〜Ｎ）に通信的に結合されている。
【００１６】
基地局１０は、ホストＲＦデジタイザ２０へ同時送信ＣＤＭＡ−トラヒック−保持ＲＦチャネルを送信する。ホストＲＦデジタイザ２０は、加算回路４０へデジタルサンプルを出力する。ビーコンパイロット発生器２５は、遅延バッファ３０へサンプル（中間周波数で）を出力する。遅延バッファ３０は、加算回路４０へ異なる疑似ノイズオフセット（例えば疑似ノイズオフセット−１、疑似ノイズオフセット−２および疑似ノイズオフセット−Ｎ）を有するデジタル的に遅れて出力されたＣＤＭＡ−デジタル−ビーコン−パイロットサンプルを出力する。加算回路４０は、ホストＲＦデジタイザから受信したデジタルサンプルに異なる疑似ノイズオフセットを有するＣＤＭＡ−デジタル−ビーコン−パイロットサンプルを加え、多重同時送信−プラス−特有−オフセット−ビーコン−パイロットＣＤＭＡサンプルを形成する。
【００１７】
多重同時送信−プラス−特有−オフセット−ビーコン−パイロットＣＤＭＡサンプルは、加算回路４０からフレーマ／シリアライザ５０へ出力される。フレーマ／シリアライザ５０は、ｉ番目に関連するリモートアンテナノード１４９ｉへ、各多重同時送信−プラス−特有−オフセット−ビーコン−パイロットＣＤＭＡサンプルストリームを送る。たとえば、疑似ノイズオフセット−１を有するサンプルは、関連する第１リモートアンテナノード１４９−１へ出力される。同様に、疑似ノイズオフセット−Ｎを有するサンプルは、関連する第Ｎリモートアンテナノード１４９−Ｎへ出力される。用語リモートアンテナノード、リモートノードおよびノードは、本願明細書において互換可能に使用される。ホストＲＦデジタイザ２０は、本願明細書において、デジタル−アナログ無線トランシーバ（ＤＡＲＴ）２０とも称する。この実施形態の１つの実現において、通信は基地局１０を含むが、基地局１０は分散型アンテナシステムの部分ではない。
【００１８】
図２は、本発明による同時送信トラヒックおよび非同時送信ビーコンをリモートアンテナノード１４９（１〜Ｎ）へ供給するＤＡＳ １２の実施形態である。ＤＡＳ１２はホストユニット５（ビーコンパイロット発生器２２５）を含み、リモートアンテナノード１４９（１〜Ｎ）は各光ファイバ６０（１〜Ｎ）を介してホストユニット５に通信的に結合している。ＤＡＳ１２は、ＣＤＭＡ基地局２１０に通信的に結合している。ホストユニット５は、第１ホストＲＦデジタイザ２２０、第２ホストＲＦデジタイザ２２１、遅延バッファ２３０、加算回路２４０およびフレーマ／シリアライザ２５０を含む。加算回路２４０は、第１加算回路１２１−１、第２加算回路１２１−２、第ｎ加算回路１２１Ｎまでを含む。ビーコンパイロット発生器２２５は、ＣＤＭＡ ＲＦビーコンパイロット発生器２２５である。遅延バッファ２３０は、本願明細書において傍受遅延バッファ２３０とも称する。
【００１９】
第１ホストＲＦデジタイザ２２０は、通信リンク４４を介して基地局２１０から、同時送信ＣＤＭＡ−トラヒック−保持チャネル用のＣＤＭＡ ＲＦ基地局信号を受信する。ＣＤＭＡ−トラヒック−保持チャネルは、全ての関連トラヒック、同期およびページングチャネルを含む。
【００２０】
第１ホストＲＦデジタイザ２２０は、ＣＤＭＡ−トラヒック−保持チャネル用のデジタルサンプルにＲＦ信号を変換する。ＣＤＭＡ−トラヒック−保持チャネル用のデジタルサンプルは、第１ホストＲＦデジタイザ２２０から出力される。加算回路２４０は、リンクまたは追跡線４９を介してホストＲＦデジタイザ２２０から出力されるデジタルサンプルを受信するために通信的に結合している。
【００２１】
ビーコンパイロット発生器２２５は、通信リンク４６を介して第２ホストＲＦデジタイザ２２１に、ＲＦ ＣＤＭＡビーコンパイロットを出力するために通信的に結合している。第２ホストＲＦデジタイザ２２１は、リンクまたは追跡線４７を介して遅延バッファ２３０へＣＤＭＡ−デジタル−ビーコン−パイロットサンプルを出力する。この実施形態の１つの実現において、通信リンク４４および／または通信リンク４６は同軸ケ−ブルである。
【００２２】
遅延バッファ２３０において、ＣＤＭＡ−デジタル−ビーコン−パイロットサンプルはデジタル的に遅延して、異なる疑似ノイズオフセット（１〜Ｎ）を有するパイロット信号のサンプルを合成する。遅延バッファ２３０は、異なるリンクもしくは追跡線５１（１〜Ｎ）上での異なるタイミング（疑似ノイズ）オフセットを有するＣＤＭＡ−デジタル−ビーコン−パイロットサンプルを傍受する。遅延バッファ１３０の遅延傍受は、１）リモートアンテナ位置で所望の疑似ノイズオフセットを達成すること、２）いかなるファイバ遅れも補償すること、および／または３）いかなる付加的な遅延補償もＤＡＳ １２の他の場所で補償することに選択される。
【００２３】
加算回路２４０は、第１ホストＲＦデジタイザ２２０から受信したデジタルサンプルに異なる疑似ノイズオフセット（１〜Ｎ）を有するＣＤＭＡ−デジタル−ビーコン−パイロットサンプルを加え、多重同時送信−プラス−特有−オフセット−ビーコン−パイロットＣＤＭＡサンプルを形成する。フレーマ／シリアライザ２５０は、フレーマ／シリアライザ２５０に通信的に結合しているリモートアンテナノード１４９（１〜Ｎ）の関連する１つに、各多重同時送信−プラス−特有−オフセット−ビーコン−パイロットＣＤＭＡサンプルストリームを送る。
【００２４】
加算回路２４０が第１ホストＲＦデジタイザ２２０からのデジタルサンプルに異なる疑似ノイズオフセット（１〜Ｎ）を有するＣＤＭＡ−デジタル−ビーコン−パイロットサンプルを加える手順についてここで説明する。遅延バッファ２３０は、第１ＣＤＭＡ−デジタル−ビーコン−パイロットサンプルを傍受し、第２ＣＤＭＡ−デジタル−ビーコン−パイロットサンプルを傍受する。第１ＣＤＭＡ−デジタル−ビーコン−パイロットサンプルは、リンク５１−１を介して第１加算回路１２１−１へ送信される。第２ＣＤＭＡ−デジタル−ビーコン−パイロットサンプルは、リンク５１−２を介して第２加算回路１２１−２へ送信される。
【００２５】
第１ＣＤＭＡ−デジタル−ビーコン−パイロットサンプルは、第１ホストＲＦデジタイザ２０からの同時送信デジタルサンプルに加えられ、第１加算回路１２１−１にて第１多重同時送信−プラス−特有−オフセット−ビーコン−パイロットＣＤＭＡサンプルを生成する。第２ＣＤＭＡ−デジタル−ビーコン−パイロットサンプルは、第１ホストＲＦデジタイザ２０からの同時送信デジタルサンプルに加えられ、第２加算回路１２１−２にて第２多重同時送信−プラス−特有−オフセット−ビーコン−パイロットＣＤＭＡサンプルを生成する。
【００２６】
第１多重同時送信−プラス−特有−オフセット−ビーコン−パイロットＣＤＭＡサンプルは、リンク５２−１を介してフレーマ／シリアライザ１２０へ送信される。第２多重同時送信−プラス−特有−オフセット−ビーコン−パイロットＣＤＭＡサンプルは、リンク５２−１を介してフレーマ／シリアライザ１２０へ送信される。このプロセスは、Ｎが１より大きな整数であるＮ個の遅れ値のそれぞれに対して実行され、第１ホストＲＦデジタイザ２０からの同一の同時送信デジタルサンプルにＮ番目のＣＤＭＡ−デジタル−ビーコン−パイロットサンプルのそれぞれを加え、Ｎ個の加算回路１２１−１〜１２１−Ｎの出力で、Ｎ個の多重同時送信−プラス−特有−オフセット−ビーコン−パイロットＣＤＭＡサンプルを生成する。全Ｎ個多重同時送信−プラス−特有−オフセット−ビーコン−パイロットＣＤＭＡサンプルは、同時にリンク５２−１〜５２−Ｎを介してフレーマ／シリアライザ１２０へ送信される。
【００２７】
フレーマ／シリアライザ２５０は、各ｉ番目の通信リンク６０−ｉを介して関連するｉ番目リモートアンテナノード１４９ｉへｉ番目タイミングオフセットを有する各多重同時送信−プラス−特有−オフセット−ビーコン−パイロットＣＤＭＡサンプルを出力する。具体的には、フレーマ／シリアライザ２５０は、各ｉ番目の通信リンク６０−ｉを介して関連するｉ番目リモートアンテナノード１４９ｉへｉ番目タイミングオフセットを有する多重同時送信−プラス−特有−オフセット−ビーコン−パイロットＣＤＭＡサンプルのサンプルストリームを送る。このように、リモートアンテナノード１４９（１〜Ｎ）のそれぞれは、多重同時送信−プラス−特有−オフセット−ビーコン−パイロットＣＤＭＡサンプルストリームを受信する。
【００２８】
通信リンク６０（１〜Ｎ）は、光ファイバ、同軸ケ−ブル、無線リンクまたはこれらの組合せである。
【００２９】
図３は、本発明による同時送信トラヒックおよび非同時送信ビーコンをリモートアンテナノード１４９（１〜Ｎ）へ供給するＤＡＳ １３の実施形態である。本実施形態において、ビーコンパイロット発生器はベースバンドビーコンパイロット発生器３２５である。ＤＡＳ１３は、ＣＤＭＡ基地局３１０に通信的に結合している。ＤＡＳ１３はホストユニット６を含み、リモートアンテナノード１４９（１〜Ｎ）は各光ファイバ６０（１〜Ｎ）を介してホストユニット６に通信的に結合している。
【００３０】
ホストユニット６は、ホストＲＦデジタイザ３２０、ベースバンドビーコンパイロット発生器３２５、デジタルアップコンバータ（ＤＵＣ）、遅延バッファ３３０、加算回路３４０およびフレーマ／シリアライザ３５０を含む。この実施形態の１つの実現において、ベースバンドビーコンパイロット発生器３２５およびデジタルアップコンバータ３２６は、ホストユニット６の外部である。この実施形態の他の実現において、ベースバンドビーコンパイロット発生器３２５は、デジタルビーコンパイロットを合成するために構成されたデジタル信号処理装置３２５である。
【００３１】
ホストＲＦデジタイザ３２０は、通信リンク４４を介して基地局３１０から、同時送信ＣＤＭＡ−トラヒック−保持チャネル用のＣＤＭＡ ＲＦ基地局信号を受信する。ホストＲＦデジタイザ３２０は、ＣＤＭＡ−トラヒック−保持チャネル用のデジタルサンプルにＲＦ信号を変換する。ＣＤＭＡ−トラヒック−保持チャネル用のデジタルサンプルは、ホストＲＦデジタイザ３２０から出力される。加算回路３４０は、リンクまたは追跡線４９を介してホストＲＦデジタイザ３２０から出力されるデジタルサンプルを受信するために通信的に結合している。
【００３２】
デジタルアップコンバータ３２６は、リンク４３を介してベースバンドビーコンパイロット発生器３２５から、デジタルベースバンドサンプルを受信する。デジタルアップコンバータ３２６は、リンクまたは追跡線４７を介して遅延バッファ３３０へＣＤＭＡ−デジタル中間周波数（ＩＦ）サンプルを出力する。遅延バッファ３３０において、ＣＤＭＡ−デジタルＩＦサンプル（本願明細書において「ＣＤＭＡ−デジタル−ビーコン−パイロットサンプル」とも称する）は、デジタル的に遅れ、異なるタイミングオフセット（１〜Ｎ）（例えば疑似ノイズオフセット）を有するパイロット信号のサンプルを合成する。遅延バッファ３３０は、符号５１で一般に表される異なるリンクまたは追跡線を介して加算回路３４０へ異なるタイミングオフセットを有するＣＤＭＡ−デジタル−ビーコン−パイロットサンプルを送信する。
【００３３】
加算回路３４０は、ホストＲＦデジタイザ３２０から受信したＣＤＭＡトラヒック保持信号用のデジタルサンプルに異なるタイミングオフセット（１〜Ｎ）を有するＣＤＭＡ−デジタル−ビーコン−パイロットサンプルを加え、多重同時送信−プラス−特有−オフセット−ビーコン−パイロットＣＤＭＡサンプルを形成する。多重同時送信−プラス−特有−オフセット−ビーコン−パイロットＣＤＭＡサンプルは、符号５２で一般に表される異なるリンクまたは追跡線を介してフレーマ／シリアライザ３５０へ送信される。フレーマ／シリアライザ３５０は、図２に関して上述した通りにフレーマシリアライザ３５０に通信的に結合しているリモートアンテナノード１４９（１〜Ｎ）の関連する１つに、各多重同時送信−プラス−特有−オフセット−ビーコン−パイロットＣＤＭＡサンプルストリームを送る。
【００３４】
図４は、本発明による同時送信トラヒックおよび非同時送信ビーコンをリモートアンテナノード１４９（１〜Ｎ）へ供給するＤＡＳ １４の実施形態である。この実施形態において、ビーコンパイロット発生器４２５は遅延バッファ４３０へデジタル中間周波数（ＩＦ）サンプルを出力するためにデジタルアップコンバータと一体化されたベースバンドビーコンパイロット発生器である。
【００３５】
ＤＡＳ１４は、ＣＤＭＡ基地局４１０に通信的に結合している。ＤＡＳ１４はホストユニット７を含み、リモートアンテナノード１４９（１〜Ｎ）は各光ファイバ６０（１〜Ｎ）を介してホストユニット７に通信的に結合している。ホストユニット７は、ホストＲＦデジタイザ４２０、遅延バッファ４３０、加算回路４４０およびフレーマ／シリアライザ４５０を含む。加算回路４４０は、図２に関して上述した通りに構造および機能において加算回路２４０と同様である。ホストＲＦデジタイザ４２０は、本願明細書において、ホストデジタル−アナログ無線トランシーバ（ＤＡＲＴ）４２０とも称する。
【００３６】
ホストＲＦデジタイザ４２０は、通信リンク４４を介して基地局３１０から、同時送信ＣＤＭＡ−トラヒック−保持チャネル用のＣＤＭＡ ＲＦ基地局信号を受信する。ホストＲＦデジタイザ４２０は、ＣＤＭＡ−トラヒック−保持チャネル用のデジタルサンプルにＲＦ信号を変換する。ＣＤＭＡ−トラヒック−保持チャネル用のデジタルサンプルは、ホストＲＦデジタイザ４２０から出力される。加算回路４４０は、リンクまたは追跡線４９を介してホストＲＦデジタイザ４２０から出力されるデジタルサンプルを受信するために通信的に結合している。
【００３７】
ベースバンドビーコンパイロット発生器４２５は、リンクまたは追跡線４７を介して遅延バッファ４３０への出力ＣＤＭＡ−デジタル中間周波数（ＩＦ）サンプルと通信的に結合している。遅延バッファ４３０において、ＣＤＭＡ−デジタル−ビーコン−パイロットサンプルはデジタル的に遅延して、異なるタイミングオフセット（たとえば疑似ノイズオフセット）を有するパイロット信号のサンプルを合成する。遅延バッファ４３０は、異なるリンクまたは追跡線５１（１〜Ｎ）を介して加算回路４４０へ異なるタイミングオフセットを有するＣＤＭＡ−デジタル−ビーコン−パイロットサンプルを送信する。
【００３８】
加算回路４４０は、ホストＲＦデジタイザ４２０から受信したＣＤＭＡトラヒック保持信号用のデジタルサンプルに異なるタイミングオフセットを有するＣＤＭＡ−デジタル−ビーコン−パイロットサンプルを加え、多重同時送信−プラス−特有−オフセット−ビーコン−パイロットＣＤＭＡサンプルを形成する。多重同時送信−プラス−特有−オフセット−ビーコン−パイロットＣＤＭＡサンプルは、リンクまたは追跡線５２（１〜Ｎ）を介してフレーマ／シリアライザ４５０へ送信される。フレーマ／シリアライザ４５０は、フレーマ／シリアライザ４５０に通信的に結合しているリモートアンテナノード１４９（１〜Ｎ）の関連する１つに、各多重同時送信−プラス−特有−オフセット−ビーコン−パイロットＣＤＭＡサンプルストリームを送る。
【００３９】
図５は、本発明による同時送信トラヒックおよび非同時送信ビーコンをリモートアンテナノード１４９（１〜Ｎ）へ供給するＤＡＳ１５の実施形態である。この実施形態において、ビーコンパイロット発生器は外部ビーコンパイロット発生器５２７であり、ベースバンドビーコンパイロット発生器５２５、デジタルアップコンバータ５２６および遅延バッファ５３０を含む。ＤＡＳ１５は、ＣＤＭＡ基地局５１０および外部ビーコンパイロット発生器５２７と通信的に結合している。ＤＡＳ １５は、ホストユニット８と、各光ファイバ６０（１〜Ｎ）を介してホストユニット８に通信的に結合しているリモートアンテナノード１４９（１〜Ｎ）とを含む。
【００４０】
ベースバンドビーコンパイロット発生器５２６は、リンク４３を介してデジタルアップコンバータ５２６へデジタルベースバンドサンプルを出力する。デジタルアップコンバータ５２６は、遅延バッファ５３０へデジタルＩＦサンプルを出力する。遅延バッファ５３０は、デジタルアップコンバータ５２６からデジタルＩＦサンプル出力を受信し、ホストユニット８へ異なる疑似ノイズオフセットを有するＣＤＭＡ−デジタル−ビーコン−パイロットサンプルを出力する。
【００４１】
ホストユニット８は、ホストＲＦデジタイザ５２０、加算回路５４０およびフレーマ／シリアライザ５５０を含む。ＣＤＭＡ−デジタル−ビーコン−パイロットサンプルは加算回路５４０で受信され、フレーマ／シリアライザ５５０へ多重同時送信−プラス−特有−オフセット−ビーコン−パイロットＣＤＭＡサンプルを同時に出力する。フレーマ／シリアライザ５５０は、フレーマ／シリアライザ５５０に通信的に結合しているリモートアンテナノード１４９（１〜Ｎ）の関連する１つに、各多重同時送信−プラス−特有−オフセット−ビーコン−パイロットＣＤＭＡサンプルストリームを送る。
【００４２】
図６は、本発明による同時送信トラヒックおよび非同時送信ビーコンをリモートアンテナノード１４９（１〜Ｎ）へ供給するＤＡＳ１６の実施形態である。ＤＡＳ１６は、デジタルＣＤＭＡ基地局６１０およびベースバンドビーコンパイロット発生器６２５と通信的に結合している。ＤＡＳ １６はホストユニット９を含み、リモートアンテナノード１４９（１〜Ｎ）は各光ファイバ６０（１〜Ｎ）を介してホストユニット９に通信的に結合している。ホストユニット９は、第１デジタルアップコンバータ５２１、第２デジタルアップコンバータ６２６、遅延バッファ６３０、加算回路６４０およびフレーマ／シリアライザ６５０を含む。ベースバンドビーコンパイロット発生器６２５は、ホストユニット９へデジタルベースバンドサンプルを出力する。この実施形態の１つの実現において、ベースバンドビーコンパイロット発生器６２５は、デジタルビーコンパイロットを合成するために構成されたデジタル信号処理装置６２５である。
【００４３】
この実施態様において、図６の基地局６１０は、ＣＤＭＡデジタルサンプルを出力するデジタルＣＤＭＡ基地局６１０である。基地局６１０は図１〜５のＲＦ ＣＤＭＡ信号を出力するＲＦ基地局１１１〜５１０とは異なる。第１デジタルアップコンバータ５２１は、デジタル基地局６１０からＣＤＭＡデジタル基地局信号を受信し、加算回路６４０へＣＤＭＡ−トラヒック−保持チャネル用のデジタルサンプルを出力する。第２デジタルアップコンバータ６２６は、ベースバンドビーコンパイロット発生器６２５からリンク４３を介してデジタルベースバンドサンプルを受信し、遅延バッファ６３０へデジタルＩＦサンプルを出力する。
【００４４】
遅延バッファ６３０は、デジタルＩＦサンプルを受信して、加算回路６４０へ異なるタイミングオフセットを有するＣＤＭＡ−デジタル−ビーコン−パイロットサンプルを出力する。加算回路６４０は、ＣＤＭＡ−トラヒック−保持チャネル用デジタルサンプルに異なるタイミングオフセットを有するＣＤＭＡ−デジタル−ビーコン−パイロットサンプルと加え合わせることによって多重同時送信−プラス−特有−オフセット−ビーコン−パイロットＣＤＭＡサンプルを形成する。フレーマ／シリアライザ６５０は、分散型アンテナシステム１６における関連するリモートアンテナノード１４９（１〜Ｎ）へ、各多重同時送信−プラス−特有−オフセット−ビーコン−パイロットＣＤＭＡサンプルストリームを送り、そこにおいて、リモートアンテナノード１４９（１〜Ｎ）は、デジタル基地局６１０およびベースバンドビーコンパイロット発生器６２５から同時送信トラヒックおよび非同時送信ビーコンが供給される。
【００４５】
本願明細書において記載されている各ビーコンパイロット発生器および関連する基地局は、分散型アンテナシステムにおける関連するリモートアンテナノードへ多重同時送信−プラス−特有−オフセット−ビーコン−パイロットＣＤＭＡサンプルを生成し、送信するために構成される。図７は、ＲＦ基地局を適用できる単一のビーコンパイロット発生器を使用している非同時送信−特有−オフセット−ビーコン−パイロットＣＤＭＡサンプル（図１〜５）と一緒に、同時送信ＣＤＭＡ−トラヒック−保持チャネルを分散する方法７００である。方法７００は、この文書を読み、理解することによって当業者に理解できる通り、ビーコンパイロット発生器の他のタイプを含む他のＤＡＳシステムによって実現できる。
【００４６】
ＣＤＭＡ ＲＦ信号は、基地局からホストＲＦデジタイザにて受信される（ブロック７０２）。ＣＤＭＡ ＲＦ信号は、同時送信トラヒック保持信号である。ＣＤＭＡ基地局信号（すなわちＣＤＭＡ ＲＦ同時送信トラヒック保持信号）はホストＲＦデジタイザにて、トラヒック保持チャネル用デジタルサンプルに変換される（ブロック７０４）。ＣＤＭＡ−デジタル−ビーコン−パイロットサンプルは、遅延バッファにて受信される（ブロック７０６）。この実施形態の１つの実現において、ＣＤＭＡ無線周波数ビーコンパイロットは、ＣＤＭＡ無線周波数ビーコンパイロット発生器から第２ホストＲＦデジタイザ（図２）にて受信される。この場合、第２ホストＲＦデジタイザはＣＤＭＡ無線周波数ビーコンパイロットをＣＤＭＡ−デジタル−ビーコン−パイロットサンプルに変換して、遅延バッファへＣＤＭＡ−デジタル−ビーコン−パイロットサンプルを送信する。
【００４７】
遅延バッファから異なるタイミングオフセットを有するＣＤＭＡ−デジタル−ビーコン−パイロットサンプルを同時に傍受する（ブロック７０８）。異なるタイミングオフセットを有するＣＤＭＡ−デジタル−ビーコン−パイロットサンプルをＣＤＭＡ基地局デジタルサンプルに加え、多重同時送信−プラス−特有−オフセット−ビーコン−パイロットＣＤＭＡサンプルを形成する（ブロック７１０）。フレーマ／シリアライザにて多重同時送信−プラス−特有−オフセット−ビーコン−パイロットＣＤＭＡサンプルストリームを受信する（ブロック７１２）。フレーマ／シリアライザは、関連するリモートアンテナノードへ、各多重同時送信−プラス−特有−オフセット−ビーコン−パイロットＣＤＭＡサンプルストリームを送る（ブロック７１４）。たとえば、第１ビーコンパイロットＣＤＭＡサンプルストリームはフレーマ／シリアライザによって第１リモートアンテナノードへ送られ、第２ビーコンパイロットＣＤＭＡサンプルストリームはフレーマ／シリアライザによって第２リモートアンテナノードへ送られる。
【００４８】
パイロットビーコンオフセットの数が必ずしもリモートの数に等しいというわけではない点に留意する必要がある。幾つかの実施形態において、多重同時送信−プラス−特有−オフセット−ビーコン−パイロットＣＤＭＡサンプルはリモートノードのサブセットに対する出力であり、その一方で、他のリモートノードは多重同時送信−プラス−特有−オフセット−ビーコン−パイロットＣＤＭＡサンプルストリームを受信しない。他の実施形態において、同一オフセットを有するパイロットビーコンが、複数のリモートノードに送信のために加えられる。
【００４９】
後述の請求項によって定義される本発明の多数の実施形態を記載した。一実施形態に対して特有の特徴は他の実施形態に示される特徴と組合せ、もしくは置き換えてもよい。この文書を読みとって、理解することにより当業者に理解できる通り、ＣＤＭＡ基地局とホストユニットとの間のインターフェースおよびビーコンパイロット発生器の位置のさまざまな組合せは特許請求された発明の趣旨および権利範囲から逸脱することなく実行され得る。したがって、他の実施形態は後述の請求項の権利範囲内である。
【図１】
0005575230.tif 000002
【図２】
0005575230.tif 000003
【図３】
0005575230.tif 000004
【図４】
0005575230.tif 000005
【図５】
0005575230.tif 000006
【図６】
0005575230.tif 000007
【図７】
0005575230.tif 000008